(57)【要約】【課題】本発明は、お風呂の温度を蒸発熱による放熱を押さえ、省エネルギー化を推進すると共に入浴時の遠赤外線効果を利用し入浴時の湯冷めしにくく、保温を促進する。【解決手段】樹脂材等に湯温により遠赤外線を放射する鉱石等（滑石、マグマ鉱石、雲母、トルマリン鉱石、セラミック、チタニューム等）の粉末を含有、または塗布し中空またはスポンジ状の水に浮く浮遊片とする。または、樹脂材で遠赤外線を放射する鉱石等を内部に封入、固定し、水に浮く浮遊体とした。また、これらの浮遊体はお互いが重なり合わずに湯面上に拡がりやすい構造とした。【選択図】図１
2004275610.tif 000002
【特許請求の範囲】
【請求項１】
湯温付近の温度で遠赤外線を放射する遠赤外線放射物質（鉱物やセラミック状物質やチタン材）を粉体状で樹脂に混入し、水に浮く構造の浮遊体とするために中空状、または、スポンジ状で形成し浮遊体とした発熱体付浮遊片。
【請求項２】
樹脂で水に浮く構造の浮遊体とするために中空状、または、発泡プラスチック等でスポンジ状に形成し、湯温付近の温度で温められ遠赤外線を放射する遠赤外線放射物質（鉱物やセラミック状物質やチタン材）の砕片や板、棒状の固まりを封入や取り付け、またはこれらを含有した材料をコーテイングした発熱体付浮遊片。
【請求項３】
前請求項に記載の浮遊体の形状を内周面から外周面に沿って内周面側が高い傾斜角を付けた、または、外周に丸味を付けた構造とした、発熱体付浮遊片。
【請求項４】
前請求項に記載の遠赤外線放射物質を鉱石を主体とした発熱体付浮遊片。
【請求項５】
前請求項記載の遠赤外線放射物質を滑石（Ｔａｌｃｕｍ）を主体とした発熱体付浮遊片。
【請求項６】
前請求項の記載の遠赤外線放射物質をセラミック状材を主体とした発熱体付浮遊片。
【発明の詳細な説明】
【０００１】
【発明の属する分野】
本発明は、主に浴槽や鍋等に浮かべて使用し、浴槽や鍋の蒸発熱を押さえ蒸発熱による温度の低下を防止する省エネルギー対策や遠赤外線の放射による入浴時の保温効果を高めるものであり、鍋に使用した場合は熱の通りを良くする調理効果を高める為のものである。
【０００２】
【従来の技術】
従来から入浴剤が多く有るが基本的に溶かして使う使い切りのものであった。また、遠赤外線効果の有る鉱石等を網等に入れ浴槽に入れて置くものがあった。また、浴槽の蓋は湯面と離れており蒸発を押さえる効果が少なかった。また、入浴時蓋をしないため、冷えやすかった。また、温泉を含む大衆浴場等においては浴槽の蓋をしないケースが多く、常に蒸発熱が奪われると共に結露し天井や内装を傷める結果となっていた。
【０００３】
【解決しようとする課題】
一般の入浴剤は繰り返し使用できなく、湯面の蒸発を押さえる機能を有しない。水が１ｃｃ蒸発するのに要するカロリーは５３９カロリーであり１ｃｃの蒸発熱で５３９ｃｃのお湯を１℃下げる事になる。また、蒸発した水蒸気は結露し、天井や内装を傷める事になる。一般家庭風呂以外でも温泉に限らず銭湯やスポーツジム、健康ランド等のお風呂は蓋を空けたままの状態が多く、蒸発熱によるエネルギーの損失及び結露等による天井、内装等への影響は大きいと言える。また、鉱物等を湯に入れる入浴剤は遠赤外線等を放射するものが有るが、固まり状を使用するため、鉱物等全体の熱吸収面及び放射面積が少ないと共に固まり状のために遠赤外線の放射が１点からの放射になりがちで、浴場全体に均等に放射熱が届きにくく、家庭風呂程度の大きさの場合は体全体に放射熱があたりにくい、また、大型の風呂の場合は、鉱物等を設置した付近でしか効果が無い。また、例えば店舗におけるラーメンのスープ鍋などは鶏ガラや豚足等が煮込まれる、そして湯気を上げながら煮込まれている。ここでも多くの蒸発熱の無駄と湯気の影響が発生しているのが現状であり、地下街等では特に深刻である。
【０００４】
【課題を解決するための手段】
請求項１の本発明は、湯温付近の温度で遠赤外線を放射する遠赤外線放射物質（鉱物やセラミック状物質やチタン材）を粉体状で樹脂に混入し、水に浮く構造の浮遊体とするために中空状、または、発泡プラスチック等でスポンジ状に形成し浮遊体とした発熱体付浮遊片である。
【０００５】請求項２の本発明は樹脂で水に浮く構造の浮遊体とするために中空状、または、スポンジ状で形成し、湯温付近の温度で温められ遠赤外線を放射する遠赤外線放射物質（鉱物やセラミック状物質やチタン材）の砕片や板、棒状の固まりを封入や取り付け、またはこれらを含有した材料をコーテイングした発熱体付浮遊片である。
【０００６】請求項３の本発明は前請求項に記載の浮遊体の形状を内周面から外周面に沿って内周面側が高い傾斜角を付けた、または、外周に丸味を付けた構造とした、発熱体付浮遊片である。
【０００７】請求項４の発明は前請求項に記載の遠赤外線放射物質を鉱石を主体とした発熱体付浮遊片である。
【０００８】請求項５の発明は前請求項記載の遠赤外線放射物質を滑石（Ｔａｌｃｕｍ）を主体とした発熱体付浮遊片である。
【０００９】請求項６の発明は前請求項の記載の遠赤外線放射物質をセラミック状材を主体とした発熱体付浮遊片である。
【００１０】
上記の発熱体付浮遊片を湯面に複数浮かべて使用するものであり、湯面を空きがないように埋めることにより蒸発熱をより押さえることが出来る。また、各発熱体付浮遊片がお互いに重なり合いにくいように少なくとも外周面にかけ傾斜や丸味を設け、湯面の波等で重なり合っても戻る構造としている。また、湯面に拡がった発熱体入り浮遊片が湯面から得た熱により遠赤外線放射物質から遠赤外線が放出される。また、この時の放射は湯面全体から平均的に放射されるものであり、発熱放射体入浮遊片をかきわけて入浴した時にも湯中の体に遠赤外線放射熱が平均的に当たりやすくなるものである。
【００１１】
【実施例】
以下、本発明の発熱体付浮遊片の実施例を図面により具体的に説明する。図１は、遠赤外線放射物質を粉状にした樹脂を混ぜ合わせて成形した発熱体付浮遊片１を示し、上蓋２と下蓋３は、はめ込みや接着、溶着、ねじ込み、テープ止め等により組み合わせた中空状発熱体付浮遊片１を示す。外周面１４は丸味を付して、波等でお互いが重なり有っても、水面に拡がりやすくしている。
【００１２】
図２は、樹脂で成形した上蓋２と下蓋３で構成され、内部に遠赤外線放射物質片４を封入したものを示す。外周面１４は内周面１３から傾斜角１５を有する。
【００１３】
図３は樹脂で成形した上蓋２と下蓋３と止め蓋５で構成され下蓋３に遠赤外線放射物質片４が止め蓋５で取り付けられているものを示す。止め蓋５ははめ込み、ネジ込み等で取付、遠赤外線放射物質片４が交換できるものとしても良い。
止め蓋５には浸透穴１０が設けられており、遠赤外線放射物質片４が直接湯面に触れる事を示し、例えば遠赤外線放射物質片４がミネラルで有るマグネシウム等を含む滑石の場合に湯中にマグネシウムを溶かす効果が有るものである。また、図示しないが、遠赤外線放射物質片４がこぼれない様に網状のものや布状のもので押さえたり、網状の布状のもので袋状にし、取付ても良いものである。
【００１４】
図４は、樹脂で成形した上蓋２と下蓋３で構成し、下蓋３の表面に遠赤外線放射物質を含有した塗料をコーテイングしコーティング面１１したものを示し、例えば樹脂系のバインダーと遠赤外線放射物質のパウダーを混ぜ合わせ塗りつけたものである。また、コーティングは静電塗装やチタン等を蒸着法により表面加工したものやスパッタリング加工しても良い。またここでは外面に塗装しているが、内面に行っても良いものである。
【００１５】図５（ａ）は、桜の花びらを形取った発熱体付浮遊片１を示し樹脂に遠赤外線放射物質の粉体を混合した発泡プラスチック等でスポンジ状に成形したものを示す。図５（ｂ）はスポンジ状の浮遊体１６の内部に遠赤外線放射物質片４を埋め込んだものを示す。図５（ｃ）は浮遊体１６の底部に板状の遠赤外線放射物質片４を取り付けたものである。図６は入浴時に発熱体付浮遊片１を浮かべた入浴イメージを示し、湯面を発熱体付浮遊片１が覆っている状態を示す。
図７はお風呂や鍋にに浮かべた発熱体付浮遊片１と湯気７と遠赤外線８を示したものである。発熱体付浮遊片１が湯気７の発生をおさえ遠赤外線８が湯面上から平均して放射される事を示す。
【００１６】
上記記載の樹脂材料は、環境ホルモン等を配慮したプラスチックとしてポリプロピレンや、ＡＢＳ等が挙げられる。また、ポリプロピレンは１２０℃や１４０℃の耐熱が有るため、煮物等の鍋に用いるのには適している。ここでは樹脂材料を規定するものではない。また浮遊体自体の樹脂部分をチタニューム等の金属で成形しても良いものである。
【００１７】スポンジ材はポリウレタンフォームや、ポリスチレンやポリオレフィンなどのプラスチック樹脂等の発泡プラスチックや木材
【００１８】
遠赤外線放射物質の鉱物材料としては、滑石や貴宝石（学名：石英斑岩）、黒曜石、トルマリン鉱石、マグマ鉱石、雲母、麦飯石、水晶等が有り、遠赤外線放射率９０％に及ぶものもあるがここでは特に規定するものでは無く、湯温程度の熱により遠赤外線を放射する鉱物であればよいものであり、これらの組合せ混合でも良い。元来これらの鉱石には複数の成分が含まれているものである。また、カルシウムやマグネシウム等のミネラルを含むものが多いものである。
【００１９】
【発明の効果】
本発明は前述の構成のように、浴槽や鍋等の湯面に浮かべることにより、蒸気の発生を押さえると共に、湯面全体から平均的に放射される遠赤外線により湯内の熱効果を高める作用があり、お風呂に用いた場合はお湯が冷めにくく、省エネルギー効果や、お風呂上がりの湯冷めをおさえ、保温効果を高める効果がある。
また、発熱体付浮遊片をカラフルにしたり、例えば果物、魚、花状に形状をしたりすることにより、お風呂に入ることに楽しみや華やかさ、そして充実感を高めることになる。また、スープ鍋等に用いた場合には同じように蒸発熱による省エネルギーは元より、湯気による天井内装の傷みを少なくおさえ、煮込み鍋等の具に対しても遠赤外線により火が通りやすいく美味しさも増す事になる。このように本発明は省エネルギー効果として熱源の熱量を少なくするばかりでなく遠赤外線効果で熱効果を高め環境問題にも寄与する極めて有用な発明と考える。
【００２０】
【図面の簡単な説明】
【図１】本発明の実施例の立体図である。
【図２】本発明の他の実施例の立体図である。
【図３】本発明の他の実施例の断面図である。
【図４】本発明の他の実施例の立体図である。
【図５】本発明の他の実施例の立体図である。
【図６】本発明の他の実施例の使用イメージ図である。
【図７】本発明の実施例の使用説明断面図である。
【００２１】
【符号の説明】
１…発熱体付浮遊片
２…上蓋
３…下蓋
４…遠赤外線放射物質片
５…止め蓋
６…スポンジ状樹脂
７…湯気
８…遠赤外線
９…人体
１０…浸透穴
１１…コーテング面
１２…浴槽
１３…内周面
１４…外周面
１５…傾斜角
１６…浮遊体
【図１】
2004275610.tif 000003
【図２】
2004275610.tif 000004
【図３】
2004275610.tif 000005
【図４】
2004275610.tif 000006
【図５】
2004275610.tif 000007
【図６】
2004275610.tif 000008
【図７】
2004275610.tif 000009